(57)【要約】【課題】時刻データの表示および時報音の発生の遅延を防止できる映像送信装置を提供する。【解決手段】映像送信装置１００は、アナログ映像信号に時計データを付加したアナログ映像信号を出力するオンスクリーン発生回路１０８と、出力されたアナログ映像信号をデジタル映像信号に変換する映像Ａ／Ｄ変換回路１０７と、アナログ音声信号をデジタル音声信号に変換する音声Ａ／Ｄ変換回路１１１と、デジタル映像信号およびデジタル音声信号を圧縮するデータ圧縮回路１０６と、無線送信回路１０５と、各回路の処理を制御する制御回路１１０と、遅延分だけ時刻を進める時刻補正回路１１４と、標準の時間を出力する標準時計１１５とを含む。【選択図】        図１
2004328349.tif 000002
【特許請求の範囲】
【請求項１】
入力されたアナログ映像信号をデジタル映像信号に変換する映像アナログ／デジタル変換回路と、入力されたアナログ音声信号をデジタル音声信号に変換する音声アナログ／デジタル変換回路と、前記デジタル映像信号および前記デジタル音声信号をデータ圧縮するデータ圧縮回路と、このデータ圧縮回路からの圧縮映像音声信号を高周波信号に変換して送信する無線送信回路とを含む映像送信装置であって、
時刻を示す時刻データ信号を出力するための時刻出力手段と、
前記時刻出力手段に接続され、予め定められた補正時間に基づいて、前記時刻データ信号の時刻を補正するための時刻補正手段と、
前記時刻補正手段に接続され、前記補正された時刻データ信号を前記アナログ映像信号に付加して時刻データを表示装置に表示させるためのオンスクリーン表示手段と、
前記時刻補正手段および前記オンスクリーン表示手段に接続され、前記補正された時刻データ信号に基づいて、予め定められた表示時間、前記時刻データ信号を前記アナログ映像信号に付加するように、前記オンスクリーン表示手段を制御するための第１の制御手段とを含む、映像送信装置。
【請求項２】
前記第１の制御手段は、標準時刻の前記予め定められた表示時間前から前記標準時刻まで、前記時刻データ信号を前記アナログ映像信号に付加するように、前記オンスクリーン表示手段を制御するための手段を含む、請求項１に記載の映像送信装置。
【請求項３】
前記映像送信装置は、前記第１の制御手段に接続され、前記予め定められた表示時間を変更するための表示時間変更手段をさらに含む、請求項１または２に記載の映像送信装置。
【請求項４】
前記映像送信装置はさらに、
時報音信号を前記アナログ音声信号に付加するための時報音信号付加手段と、前記時報音信号付加手段および前記時刻補正手段に接続され、前記補正された時刻データ信号に基づいて、予め定められた付加時間、前記時報音信号を前記アナログ音声信号に付加するように、前記時報音信号付加手段を制御するための第２の制御手段とを含む、請求項１〜３のいずれかに記載の映像送信装置。
【請求項５】
前記第２の制御手段は、標準時刻の前記予め定められた付加時間前から前記標準時刻まで、前記時報音信号を前記アナログ音声信号に付加するように、前記時報音信号付加手段を制御するための手段を含む、請求項４に記載の映像送信装置。
【請求項６】
前記映像送信装置は、前記時報音信号付加手段に接続され、前記時報音信号が付加されている期間における音声信号の出力を一時的に停止して、時報音を発生するための時報音発生手段をさらに含む、請求項４または５に記載の映像送信装置。
【請求項７】
前記映像送信装置は、前記第２の制御手段に接続され、前記予め定められた付加時間を変更するための付加時間変更手段をさらに含む、請求項４〜６のいずれかに記載の映像送信装置。
【請求項８】
前記映像送信装置は、前記第１の選択手段に接続され、前記オンスクリーン表示手段の機能を使用するか否かを選択するための第１の選択手段をさらに含む、請求項１〜７のいずれかに記載の映像送信装置。
【請求項９】
前記第１の選択手段は、オンおよびオフのいずれかに基づいて、前記オンスクリーン表示手段の機能を使用するか否かを選択するための手段を含む、請求項８に記載の映像送信装置。
【請求項１０】
前記映像送信装置は、前記第１の制御手段に接続され、外部から信号を受信するための受信手段をさらに含み、
前記第１の選択手段は、前記受信された信号に基づいて、前記オンスクリーン表示手段の機能を使用するか否かを選択するための機能選択手段を含む、請求項８に記載の映像送信装置。
【請求項１１】
前記受信手段は、リモートコントロール信号を受信するための手段を含み、
前記機能選択手段は、前記受信されたリモートコントロール信号に基づいて、前記オンスクリーン表示手段の機能を使用するか否かを選択するための手段を含む、請求項１０に記載の映像送信装置。
【請求項１２】
前記映像送信装置は、前記第２の制御手段に接続され、前記時報音信号付加手段の機能を使用するか否かを選択するための第２の選択手段をさらに含む、請求項４〜７のいずれかに記載の映像送信装置。
【請求項１３】
前記第２の選択手段は、オンおよびオフのいずれかに基づいて、前記時報音信号付加手段の機能を使用するか否かを選択するための機能選択手段を含む、請求項１２に記載の映像送信装置。
【請求項１４】
前記映像送信装置は、前記第２の選択手段に接続され、外部から信号を受信するための受信手段をさらに含み、
前記第２の選択手段は、前記受信された信号に基づいて、前記時報音信号付加手段の機能を使用するか否かを選択するための機能選択手段を含む、請求項１２に記載の映像送信装置。
【請求項１５】
前記受信手段は、リモートコントロール信号を受信するための手段を含み、
前記機能選択手段は、前記受信されたリモートコントロール信号に基づいて、前記時報音信号付加手段の機能を使用するか否かを選択するための手段を含む、請求項１４に記載の映像送信装置。
【請求項１６】
前記映像送信装置は、前記オンスクリーン表示手段に接続され、前記アナログ映像信号を、ブルーバック背景を表示するブルーバック映像信号に置換するための置換手段をさらに含み、
前記オンスクリーン表示手段は、前記時刻データ信号を前記置換されたブルーバック映像信号に付加するための手段を含む、請求項１〜１５のいずれかに記載の映像送信装置。
【請求項１７】
請求項１〜１６のいずれかに記載の映像送信装置と、映像受信装置とを含むシステムであって、前記映像受信装置は、
入力された高周波信号を受信する無線受信回路と、
前記無線受信回路に接続され、前記受信された高周波信号から変換されたデータ圧縮信号を元のデジタル映像信号およびデジタル音声信号に戻すデータ伸張回路と、
前記データ伸張回路に接続され、前記デジタル映像信号をアナログ映像信号に変換する映像デジタル／アナログ変換回路と、
前記データ伸張回路に接続され、前記デジタル音声信号をアナログ音声信号に変換する音声デジタル／アナログ変換回路とを含む、映像伝送システム。
【発明の詳細な説明】
【０００１】
【発明の属する技術分野】
本発明は、映像送信装置およびその装置を含む映像伝送システムに関し、特に、映像信号を無線で送信する映像送信装置およびその映像送信装置を含む映像伝送システムに関する。
【０００２】
【従来の技術】
近年、特定の場所に配置されたＶＴＲ（Ｖｉｄｅｏ  Ｔａｐｅ  Ｒｅｃｏｒｄｅｒ）等の機器（以下、映像出力装置という。）から出力される映像あるいは音声（以下、これらをまとめて映像信号という。）を遠隔地において受信できるように映像信号を発信するための映像発信装置が提案されている。
【０００３】
このような技術として、たとえば特開平９−７４４９８号公報（特許文献１）は、映像出力装置を遠隔から操作することができる映像発信装置を開示する。この映像発信装置は、制御信号を受信する回路と、信号を送受信のタイミングに同期させて送受信回路に出力する制御回路と、映像信号および音声信号を多重圧縮する圧縮回路と、多重圧縮された映像信号および音声信号を送信する送信回路とを含む。
【０００４】
特許文献１に開示された映像発信装置によると、赤外線信号等の制御信号を受信すると、映像信号が多重圧縮される。圧縮された信号は、送受信のタイミングにて送受信回路に出力される。たとえば利用者がリモートコントロール（以下、リモコンと略す。）装置などを操作すると、多重圧縮された映像信号がその制御信号に基づいて出力されるため、通信速度を低下させることなく、映像信号を出力することができる。このようにして、映像発信装置を使用することにより、遠隔から映像出力装置を操作することができる。
【０００５】
しかし、上記特許文献１に開示された映像発信装置によると、映像信号が圧縮される際、その圧縮には所定の時間を要する。また、この信号を受信した受信装置においても、圧縮された映像信号を復元する際、その復元に時間を要する。そのため、受信側における時刻データと圧縮された信号に対応する時刻データとがずれる場合があった。
【０００６】
ここで、図１１を参照して、一般的なデータの圧縮処理および伸張処理を行なう映像伝送システム２０００の構成について説明する。この映像伝送システム２０００は、映像送信装置１１４０と映像受信装置１１３０とを含む。映像送信装置１１４０は、映像入力端子１１５０、音声入力端子１１５１、映像アナログ／デジタル変換回路（以下、映像Ａ／Ｄ（Ａｎａｌｏｇ  ｔｏ  Ｄｉｇｉｔａｌ）変換回路と表わす。）１１４５、データ圧縮回路１１４４、無線送信回路１１４３、音声アナログ／デジタル変換回路（以下、音声Ａ／Ｄ変換回路と表わす。）１１４９、アンテナ端子１１４２、およびアンテナ１１４１を含む。
【０００７】
映像入力端子１１５０は、映像Ａ／Ｄ変換回路１１４５を介してデータ圧縮回路１１４０に接続される。音声入力端子１１５１は、音声Ａ／Ｄ変換回路１１４９を介してデータ圧縮回路１１４４の入力側に接続される。データ圧縮回路１１４４の出力側は、無線送信回路１１４３を介して、アンテナ端子１１４２に接続される。アンテナ１１４１は、アンテナ端子１１４２に接続される。
【０００８】
映像受信装置１１３０は、アンテナ１１３８、アンテナ端子１１３７、無線受信回路１１３５、データ伸張回路１１３４、映像デジタル／アナログ変換回路（以下、映像Ｄ／Ａ（Ｄｉｇｉｔａｌ  ｔｏ  Ａｎａｌｏｇ）変換回路と表わす。）１１３３、映像出力端子１１３１、音声デジタル／アナログ変換回路（以下、音声Ｄ／Ａ変換回路と表わす。）１１３６、および音声出力端子１１３２を含む。
【０００９】
アンテナ１１３８は、アンテナ端子１１３７に接続される。アンテナ端子１１３７は、無線受信回路１１３５を介してデータ伸張回路１１３４の入力側に接続される。データ伸張回路１１３４の出力側は、映像Ｄ／Ａ変換回路１１３３を介して映像出力端子１１３１に接続され、また、音声Ｄ／Ａ変換回路１１３６を介して音声出力端子１１３２に接続される。
【００１０】
図１１に示した映像送信装置１１４０によると、映像入力端子１１５０および音声入力端子１１５１は、ＶＴＲ等のビデオ再生装置（図示しない）に接続される。そのビデオ再生装置から映像入力端子１１５０に入力されたアナログ映像信号は、映像Ａ／Ｄ変換回路１１４５によってデジタル映像信号に変換され、データ圧縮回路１１４４に入力される。また、上記ビデオ再生装置から音声入力端子１１５１に入力されたアナログ音声信号は、音声Ａ／Ｄ変換回路１１４９によりデジタル音声信号に変換され、データ圧縮回路１１４４に入力される。
【００１１】
データ圧縮回路１１４４は、入力されたデジタル映像信号およびデジタル音声信号をデータ圧縮し、データ圧縮映像音声信号に変換する。無線送信回路１１４３は、このデータ圧縮映像音声信号を高周波信号（ＲＦ（Ｒａｄｉｏ  Ｆｒｅｑｕｅｎｃｙ））に変換し、アンテナ１１４１から映像受信装置１１３０へ送信する。
【００１２】
映像受信装置１１３０において、映像送信装置１１４０からの高周波信号（ＲＦ）は、アンテナ１１３８で受信され、無線受信回路１１３５によって元のデータ圧縮映像音声信号に変換される。データ伸張回路１１３４は、このデータ圧縮映像音声信号を伸張し、元のデジタル映像信号およびデジタル音声信号に変換する。
【００１３】
デジタル映像信号は、映像Ｄ／Ａ変換回路１１３３によって元のアナログ映像信号に変換され、映像出力端子１１３１から出力される。デジタル音声信号は、音声Ｄ／Ａ変換回路１１３６によって元のアナログ音声信号に変換され、音声出力端子１１３２から出力される。
【００１４】
したがって、映像出力端子１１３１および音声出力端子１１３２を、たとえばテレビジョン受像機（図示しない）の外部入力端子に接続することにより、映像送信装置１１４０に接続されたＶＴＲその他のビデオ再生装置（図示しない）からの画像および音声を映像受信装置１１３０に接続されたテレビジョン受像機で視聴することができる。このようにして、データの圧縮処理および伸張処理は、映像信号あるいは音声信号の伝送に使用される。
【００１５】
【特許文献１】
特開平９−７４４９８号公報
【００１６】
【発明が解決しようとする課題】
しかしながら、上記した従来の映像伝送システム２０００において映像が伝送されると、データの圧縮および伸張に要する時間だけ遅延が発生し、時刻表示と時報が実際の時刻よりも遅くなる。この遅延時間は、たとえばＭＰＥＧ２（Ｍｏｖｉｎｇ  Ｐｉｃｔｕｒｅ  Ｅｘｐｅｒｔｓ  Ｇｒｏｕｐ  ２）仕様を有するシステムの場合、約１秒である。そのため、このようなシステムのユーザは、たとえばテレビ画像に表示される時刻あるいはスピーカなどから出力される時報音に基づいて、手元の時計の時刻を正確に合わせることができないという問題があった。
【００１７】
本発明は、上述の課題を解決するためになされたものであって、その目的は、正確な時刻表示および時刻出力を行なうことができる映像送信装置およびそれを含む映像伝送システムを提供することである。
【００１８】
【課題を解決するための手段】
第１の発明に係る映像送信装置は、入力されたアナログ映像信号をデジタル映像信号に変換する映像アナログ／デジタル変換回路と、入力されたアナログ音声信号をデジタル音声信号に変換する音声アナログ／デジタル変換回路と、デジタル映像信号およびデジタル音声信号をデータ圧縮するデータ圧縮回路と、このデータ圧縮回路からの圧縮映像音声信号を高周波信号に変換して送信する無線送信回路とを含む。この映像送信装置はさらに、時刻を示す時刻データ信号を出力するための時刻出力手段と、予め定められた補正時間に基づいて、時刻データ信号の時刻を補正するための時刻補正手段と、補正された時刻データ信号をアナログ映像信号に付加して時刻データを表示装置に表示させるためのオンスクリーン表示手段と、補正された時刻データ信号に基づいて、予め定められた表示時間、時刻データ信号をアナログ映像信号に付加するように、オンスクリーン表示手段を制御するための第１の制御手段とを含む。
【００１９】
第１の発明によると、時刻出力手段が時刻を示す時刻データ信号を出力すると、時刻補正手段は、予め定められた補正時間に基づいて、時刻データ信号の時刻を補正する。この時刻の補正には、たとえば予め定められた時間（たとえば信号の圧縮および伸張により遅延する時間）だけ時刻を進める処理が含まれる。オンスクリーン表示手段は、その補正された時刻データ信号をアナログ映像信号に付加して、時刻データとして表示装置（たとえば、スクリーン、モニタ等）に表示する。第１の制御手段は、補正された時刻データ信号に基づいて、予め定められた表示時間だけ、時刻データ信号をアナログ映像信号に付加するようにオンスクリーン表示手段を制御する。このようにすると、信号の圧縮または伸張により時刻データが遅延した場合にも、正確な時刻（すなわち、補正された時刻）を表示装置に表示することができる。これにより、正確な時刻表示を行なうことができる映像送信装置を提供することができる。
【００２０】
第２の発明に係る映像送信装置は、第１の発明の構成に加えて、第１の制御手段は、標準時刻の予め定められた表示時間前から標準時刻まで、時刻データ信号をアナログ映像信号に付加するように、オンスクリーン表示手段を制御するための手段を含む。
【００２１】
第２の発明によると、標準時刻（すなわち、００分００秒となる時刻）の予め定められた表示時間前からその標準時刻まで、正確な時刻が表示装置に表示される。また、標準時刻を過ぎると、時刻データが表示されなくなるため、映像をそのまま表示することができる。
【００２２】
第３の発明に係る映像送信装置は、第１または第２の発明の構成に加えて、予め定められた表示時間を変更するための表示時間変更手段をさらに含む。
【００２３】
第３の発明によると、たとえば、番組の視聴に影響を与えることのないように、正確な時刻表示が行なわれる表示時間を任意に変更することができる。
【００２４】
第４の発明に係る映像送信装置は、第１〜３のいずれかの発明の構成に加えて、時報音信号をアナログ音声信号に付加するための時報音信号付加手段と、補正された時刻データ信号に基づいて、予め定められた付加時間、時報音信号をアナログ音声信号に付加するように、時報音信号付加手段を制御するための第２の制御手段とをさらに含む。
【００２５】
第４の発明によると、第２の制御手段が時報音信号付加手段を制御すると、時報音信号が、補正された時刻データ信号に基づいて、予め定められた付加時間アナログ音声信号に付加される。そのため、正確な時刻データの表示に加えて、スピーカ等から正確な時報音を出力させることができる。
【００２６】
第５の発明に係る映像送信装置は、第４の発明の構成に加えて、第２の制御手段は、標準時刻の予め定められた付加時間前から標準時刻まで、時報音信号をアナログ音声信号に付加するように、時報音信号付加手段を制御するための手段を含む。
【００２７】
第５の発明によると、時報音信号付加手段は、標準時刻の予め定められた付加時間前から標準時刻まで、時報音信号をアナログ音声信号に付加するため、標準時刻の経過後は、時報音が付加されないアナログ音声信号のみを出力することができる。
【００２８】
第６の発明に係る映像送信装置は、第４または第５の発明の構成に加えて、時報音信号が付加されている期間における音声信号の出力を一時的に停止して、時報音を発生するための時報音発生手段をさらに含む。
【００２９】
第６の発明によると、音声信号の出力が一時的に停止され、時報音のみが出力されるため、使用者は、時報音をより明瞭に聞き取ることができる。
【００３０】
第７の発明に係る映像送信装置は、第４〜６のいずれかの発明の構成に加えて、予め定められた付加時間を変更するための付加時間変更手段をさらに含む。
【００３１】
第７の発明によると、たとえば番組の視聴などに支障がないように、標準時刻の開始前に時報音信号を付加する時間を任意に設定することができる。
【００３２】
第８の発明に係る映像送信装置は、第１〜７のいずれかの発明の構成に加えて、オンスクリーン表示手段の機能を使用するか否かを選択するための第１の選択手段をさらに含む。
【００３３】
第８の発明によると、必要に応じて、オンスクリーン表示手段の機能（たとえば、時刻データの表示、非表示）を使用することができる。
【００３４】
第９の発明に係る映像送信装置は、第８の発明の構成に加えて、第１の選択手段は、オンおよびオフのいずれかに基づいて、オンスクリーン表示手段の機能を使用するか否かを選択するための手段を含む。
【００３５】
第９の発明によると、オンおよびオフのいずれかを選択することができるため、必要に応じて、オンスクリーン表示手段の機能を使用することができる。
【００３６】
第１０の発明に係る映像送信装置は、第８の発明の構成に加えて、外部から信号を受信するための受信手段をさらに含む。第１の選択手段は、受信された信号に基づいて、オンスクリーン表示手段の機能を使用するか否かを選択するための機能選択手段を含む。
【００３７】
第１０の発明によると、信号を映像送信装置に送信することにより、必要に応じて、オンスクリーン表示手段の機能を使用することができる。
【００３８】
第１１の発明に係る映像送信装置は、第１０の発明の構成に加えて、受信手段は、リモートコントロール信号を受信するための手段を含む。機能選択手段は、受信されたリモートコントロール信号に基づいて、オンスクリーン表示手段の機能を使用するか否かを選択するための手段を含む。
【００３９】
第１１の発明によると、使用者がリモートコントロール信号（たとえば赤外線リモコン信号）を映像送信装置に送信することにより、必要に応じて、オンスクリーン表示手段の機能（たとえば、時刻データの表示機能）を使用することができる。
【００４０】
第１２の発明に係る映像送信装置は、第４〜７のいずれかの発明の構成に加えて、時報音信号付加手段の機能を使用するか否かを選択するための第２の選択手段をさらに含む。
【００４１】
第１２の発明によると、必要に応じて、時報音信号付加手段の機能（たとえば、時報音の発生、消音機能）を使用することができる。
【００４２】
第１３の発明に係る映像送信装置は、第１２の発明の構成に加えて、第２の選択手段は、オンおよびオフのいずれかに基づいて、時報音信号付加手段の機能を使用するか否かを選択するための機能選択手段を含む。
【００４３】
第１３の発明によると、オンおよびオフのいずれかを選択することができるため、必要に応じて、時報音信号付加手段の機能を使用することができる。
【００４４】
第１４の発明に係る映像送信装置は、第１２の発明の構成に加えて、外部から信号を受信するための受信手段をさらに含む。第２の選択手段は、受信された信号に基づいて、時報音信号付加手段の機能を使用するか否かを選択するための機能選択手段を含む。
【００４５】
第１４の発明によると、信号を映像送信装置に送信することにより、必要に応じて、時報音信号付加手段の機能を使用することができる。
【００４６】
第１５の発明に係る映像送信装置は、第１４の発明の構成に加えて、受信手段は、リモートコントロール信号を受信するための手段を含む。機能選択手段は、受信されたリモートコントロール信号に基づいて、時報音信号付加手段の機能を使用するか否かを選択するための手段を含む。
【００４７】
第１５の発明によると、使用者がリモートコントロール信号（たとえば赤外線リモコン信号）を映像送信装置に送信することにより、必要に応じて、時報音信号付加手段の機能を使用することができる。
【００４８】
第１６の発明に係る映像送信装置は、第１〜１５のいずれかの発明の構成に加えて、アナログ映像信号を、ブルーバック背景を表示するブルーバック映像信号に置換するための置換手段をさらに含む。オンスクリーン表示手段は、時刻データ信号を置換されたブルーバック映像信号に付加するための手段を含む。
【００４９】
第１６の発明によると、置換手段がアナログ映像信号を、ブルーバック背景を表示するブルーバック映像信号に置換すると、オンスクリーン表示手段が時刻データ信号を置換されたブルーバック映像信号に付加するため、表示装置には、ブルーバック背景が表示される。なお、ブルーバック背景とは、青色の画面表示をいう。このようにすると、映像信号が伝送されていない場合にも、表示装置（たとえばテレビジョン受像機）において、ブルーバック背景に時刻データを表示させることができる。
【００５０】
第１７の発明に係る映像伝送システムは、第１〜１６のいずれかの発明に係る映像送信装置と映像受信装置とを含む。この映像受信装置は、入力された高周波信号を受信する無線受信回路と、受信された高周波信号から変換されたデータ圧縮信号を元のデジタル映像信号およびデジタル音声信号に戻すデータ伸張回路と、デジタル映像信号をアナログ映像信号に変換する映像デジタル／アナログ変換回路と、デジタル音声信号をアナログ音声信号に変換する音声デジタル／アナログ変換回路とを含む。
【００５１】
第１７の発明によると、映像送信装置は、データの圧縮および伸張による遅延時間だけ補正された時刻データを高周波信号として送信することができる。映像受信装置は、このような高周波信号を受信すると、圧縮されたデータ信号を復号して映像および音声を出力する。したがって、このような映像送信装置および映像受信装置を含む映像伝送システムによると、映像を圧縮して伝送した場合にも、時刻表示および時報音の発生の遅延を防止することができる。
【００５２】
【発明の実施の形態】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００５３】
＜第１の実施の形態＞
図１を参照して、本発明の第１の実施の形態に係る映像送信装置１００について説明する。図１は、映像伝送システムを構成する映像送信装置１００および映像受信装置３００の制御ブロック図である。
【００５４】
このシステムにおいて、映像送信装置１００は、たとえば、放送局から電波を受信することができるＶＴＲ等に接続される。映像受信装置３００は、任意の場所で放送を視聴するために、放送局からの電波を直接受信することができない携帯型テレビ等に接続される。
【００５５】
図１に示すように、映像送信装置１００は、アンテナ１０３と、アンテナ端子１０４と、無線送信回路１０５と、データ圧縮回路１０６と、映像Ａ／Ｄ変換回路１０７と、オンスクリーン発生回路１０８と、制御回路１１０と、音声Ａ／Ｄ変換回路１１１と、映像入力端子１１２と、音声入力端子１１３と、時刻補正回路１１４と、標準時計１１５とを含む。
【００５６】
映像入力端子１１２は、オンスクリーン発生回路１０８の入力側に接続される。オンスクリーン発生回路１０８の出力側は、映像Ａ／Ｄ変換回路１０７の入力側に接続される。映像Ａ／Ｄ変換回路１０７の出力側は、データ圧縮回路１０６の入力側に接続される。データ圧縮回路１０６の出力側は、無線送信回路１０５の入力側に接続される。無線送信回路１０５の出力側は、アンテナ端子１０４に接続される。
【００５７】
音声入力端子１１３は、音声Ａ／Ｄ変換回路１１１の入力側に接続される。音声Ａ／Ｄ変換回路１１１の出力側は、データ圧縮回路１０６の入力側に接続される。
【００５８】
標準時計１１５は、時刻補正回路１１４の入力側に接続される。時刻補正回路１１４の出力側は、制御回路１１０の入力側に接続される。制御回路１１０の出力側は、オンスクリーン発生回路１０８の入力側に接続される。
【００５９】
標準時計１１５は、映像送信装置１００における標準の時刻を表わす時刻データ信号を時刻補正回路１１４に出力する。時刻補正回路１１４は、予め定められた時間だけその時刻データ信号の時刻を進めた後、時計データとして制御回路１１０に出力する。ここで、予め定められた時間とは、データ圧縮およびデータ伸張に要する時間をいう。この時間は、たとえばＭＰＥＧ２仕様の場合で約１秒であるが、これに限られず、データ圧縮およびデータ伸張を行なう回路に応じて、設定を変更することも可能である。
【００６０】
制御回路１１０は、たとえばマイクロコンピュータである。この制御回路１１０は、第１のポートＰ１、第２のポートＰ２および第３のポートＰ３を含む。各ポートには、それぞれスイッチＳＷ１，ＳＷ２，ＳＷ３が接続される。
【００６１】
制御回路１１０は、メモリ（図示しない）に予め記憶されたプログラムに基づいて、演算処理、後述するスイッチの開閉処理などを行なう。スイッチＳＷ１が閉じられると、予め定められた加算処理が実行される。この処理には、オンスクリーン表示秒数を加算する処理が含まれる。スイッチＳＷ２が閉じられると、予め定められた減産処理が実行される。この処理には、オンスクリーン表示秒数を減算する処理が含まれる。スイッチＳＷ３が開かれると、その他の条件が成立している場合には、オンスクリーン表示が実行される。
【００６２】
このような映像送信装置１００において、映像入力端子１１２から入力されたアナログ映像信号は、オンスクリーン発生回路１０８に出力される。オンスクリーン発生回路１０８は、このアナログ映像信号に時計データを付加して、映像Ａ／Ｄ変換回路１０７に出力する。映像Ａ／Ｄ変換回路１０７は、入力されたアナログ映像信号をデジタル映像信号に変換し、データ圧縮回路１０６に出力する。
【００６３】
一方、音声入力端子１１３から入力されたアナログ音声信号は、音声Ａ／Ｄ変換回路１１１に入力される。音声Ａ／Ｄ変換回路１１１は、そのアナログ音声信号をデジタル音声信号に変換して、データ圧縮回路１０６に出力する。
【００６４】
データ圧縮回路１０６は、入力されたデジタル映像信号およびデジタル音声信号をデータ圧縮して、無線送信回路１０５に入力する。なお、データ圧縮の方法は、たとえばランレングス符号化あるいはハフマン符号化であるが、これらの方法に限られるものではない。
【００６５】
無線送信回路１０５は、データ圧縮された信号を高周波信号に変換する。変換された信号は、アンテナ端子１０４に接続されたアンテナ１０３から、送信される。
【００６６】
このようにして、アナログ映像信号およびアナログ音声信号は、予め定められた補正処理が行なわれた時刻データ信号と共にデータ圧縮処理された後、デジタル信号として送信される。このような信号は、データ伸張処理を行なうことができる映像受信装置により受信されると、予め定められた処理（データ伸張処理、Ｄ／Ａ変換処理等）が行なわれ、映像および音声の視聴が可能になる。
【００６７】
図２を参照して、映像送信装置１００の制御回路１１０にて実行されるプログラムの制御構造について説明する。このプログラムは、映像送信装置１００の電源がオンになっている間、実行される。
【００６８】
ステップ（以下、ステップをＳと表わす。）２０２にて、制御回路１１０は、第３のポートＰ３の設定が「Ｌ」レベルであるか否かを判断する。第３のポートＰ３の設定が「Ｌ」レベルであると判断した場合には（Ｓ２０２にてＹＥＳ）、処理は終了する。もしそうでないと（Ｓ２０２にてＮＯ）、処理はＳ２０４に移される。
【００６９】
Ｓ２０４にて、制御回路１１０は、時刻補正回路１１４からの時計データが５９分（６０−ｔ）秒であるか否かを判断する。時計データが５９分（６０−ｔ）秒であると判断した場合には（Ｓ２０４にてＹＥＳ）、処理はＳ２０６に移される。もしそうでないと（Ｓ２０４にてＮＯ）、処理はＳ２０２に戻され、時刻補正回路１１４からの時計データが５９分（６０−ｔ）秒になるまで繰り返される。
【００７０】
Ｓ２０６にて、制御回路１１０は、スクリーン（図示しない）に時刻データを表示させる。この表示は、たとえばデジタル形式（数値による表示）であってもよいし、アナログ形式（時計による表示）であってもよい。この表示は、時刻データを含む所定の制御信号をスクリーンに出力することにより行なわれる。
【００７１】
Ｓ２０８にて、制御回路１１０は、時計データが００分００秒であるか否かを判断する。時計データが００分００秒であると判断した場合には（Ｓ２０８にてＹＥＳ）、処理はＳ２１０に移される。もしそうでないと（Ｓ２０８にてＮＯ）、処理はＳ２０６に戻され、時刻データの表示が継続される。
【００７２】
Ｓ２１０にて、制御回路１１０は、スクリーンにおける時刻データの表示をオフにする。この処理は、制御回路１１０が予め定められた制御信号をスクリーンに出力することにより行なわれる。その後、処理は終了する。
【００７３】
図３を参照して、図１に示した制御回路１１０にて実行されるオンスクリーン表示秒数設定処理プログラムの制御構造について説明する。
【００７４】
Ｓ３０２にて、制御回路１１０は、第１のポートＰ１の設定が「Ｌ」レベルであるか否かを判断する。第１のポートＰ１の設定が「Ｌ」レベルであると判断した場合には（Ｓ３０２にてＹＥＳ）、処理はＳ３０４に移される。そうでないと（Ｓ３０２にてＮＯ）、処理はＳ３０６に移される。
【００７５】
Ｓ３０４にて、制御回路１１０は、オンスクリーン表示秒数設定値ｔに１秒加算する。このオンスクリーン表示秒数設定値ｔは、標準時刻までの間オンスクリーン表示を行なうために、予め設定される表示時間である。
【００７６】
Ｓ３０６にて、制御回路１１０は、第２のポートＰ２の設定が「Ｌ」レベルであるか否かを判断する。第２のポートＰ２の設定が「Ｌ」レベルであると判断した場合には（Ｓ３０６にてＹＥＳ）、処理はＳ３０８に移される。もしそうでないと（Ｓ３０６にてＮＯ）、処理はＳ３０２に戻される。
【００７７】
Ｓ３０８にて、制御回路１１０は、オンスクリーン表示秒数設定値ｔを１秒減算する。その後、処理は終了する。
【００７８】
以上の構造およびフローチャートに基づく、本実施の形態に係る映像送信装置１００の動作について説明する。
【００７９】
第３のポートＰ３の設定が「Ｌ」レベルではなく（Ｓ２０２にてＮＯ）、時計データが５９分（６０−ｔ）秒である場合には（Ｓ２０４にてＹＥＳ）、時刻データがスクリーンに表示される（Ｓ２０６）。この表示は、時計データが００分００秒になるまで継続される。
【００８０】
その後、時計データが００分００秒になると（Ｓ２０８にてＹＥＳ）、時刻データの表示は終了する（Ｓ２１０）。
【００８１】
以上のようにして、本実施の形態に係る映像送信装置１００によると、スイッチＳＷ３の設定を切り換えることにより、時刻データのオンスクリーン表示を行なうか否かの設定を実現することができる。
【００８２】
また、この映像送信装置１００によると、ＳＷ１およびＳＷ２の設定を切り換えることにより、時刻データをオンスクリーン表示させる時間（標準時刻のｔ秒前から標準時刻までのｔ秒間）を任意に設定することができる。
【００８３】
＜第２の実施の形態＞
図４を参照して、本発明の第２の実施の形態に係る映像送信装置４００について説明する。図４は、映像送信装置４００の制御ブロック図である。
【００８４】
この映像送信装置４００は、アンテナ１０３と、アンテナ端子１０４と、無線送信回路１０５と、データ圧縮回路１０６と、映像Ａ／Ｄ変換回路１０７と、音声Ａ／Ｄ変換回路１１１と、映像入力端子１１２と、音声入力端子１１３と、時刻補正回路１１４と、標準時計１１５と、制御回路４１０と、音声ミュート用スイッチ４１４と、時報音発生回路４１５とを含む。
【００８５】
本実施の形態に係る映像送信装置４００は、オンスクリーン発生回路１０８（図１）の代わりに時報音発生回路４１５を含む点で、前述の第１の実施の形態に係る映像送信装置１００と異なる。その他のハードウェア構成、処理フローおよび機能については、第１の実施の形態と同じである。したがって、それらについての詳細な説明は、ここでは繰り返さない。
【００８６】
映像入力端子１１２は、映像Ａ／Ｄ変換回路１０７の入力側に接続される。映像Ａ／Ｄ変換回路１０７の出力側は、データ圧縮回路１０６の入力側に接続される。
【００８７】
音声入力端子１１３は、音声ミュート用スイッチ４１４を介して、時報音発生回路４１５の入力側に接続される。時報音発生回路４１５の出力側は、音声Ａ／Ｄ変換回路１１１の入力側に接続される。
【００８８】
時刻補正回路１１４の出力側は、制御回路４１０の入力側に接続される。制御回路４１０の出力側は、時報音発生回路４１５の入力側に接続される。
【００８９】
制御回路４１０は、第１のポートＰ１、第２のポートＰ２、第３のポートＰ３、第４のポートＰ４、および第５のポートＰ５を含む。第１のポートＰ１は、スイッチＳＷ３に接続される。第２のポートＰ２は、スイッチＳＷ５に接続される。第３のポートＰ３は、スイッチＳＷ６に接続される。第４のポートＰ４は、スイッチＳＷ７に接続される。第５のポートＰ５は、音声ミュート用スイッチ４１４に接続される。
【００９０】
スイッチＳＷ７は、時報音の発生および不発生を切り換えるためのスイッチである。ＳＷ７が「Ｈ」レベルであるとき、時報音を発生することができる。ＳＷ７が「Ｌ」レベルであるとき、時報音を発生することができない。
【００９１】
制御回路４１０は、メモリ（図示しない）に予め記憶されたプログラムを実行することにより、後述する演算処理、スイッチの開閉処理などを行なう。この制御回路４１０は、たとえばマイクロコンピュータである。
【００９２】
制御回路４１０は、第５ポートＰ５から制御信号を送信することにより、音声ミュート用スイッチ４１４の開閉を制御する。これにより、音声入力端子１１３から入力されたアナログ音声信号は、時報音発生回路４１５に入力されたり、あるいは入力されなかったりする。制御回路４１０は、また予め定められた条件に基づいて、時報音発生回路４１５の処理を制御する。この処理には、アナログ信号に時報音信号を付加する処理が含まれる。
【００９３】
このような構成を有する映像送信装置４００において、映像入力端子１１２から入力されたアナログ映像信号は、映像Ａ／Ｄ変換回路１０７に入力される。一方、音声入力端子１１３から入力されたアナログ音声信号は、音声ミュート用スイッチ４１４を介して、時報音発生回路４１５に入力される。時報音発生回路４１５は、予め定められた条件に基づいて、入力されたアナログ信号に時報音信号を付加して、音声Ａ／Ｄ変換回路１１１に出力する。
【００９４】
その後、前述の第１の実施の形態に係る無線送信装置１００と同様に、データ圧縮回路１０６によるデータ圧縮処理および無線送信回路１０５による高周波信号への変換処理が行なわれた後、映像信号が発信される。
【００９５】
図５を参照して、映像送信装置４００の制御回路４１０にて実行されるプログラムの制御構造について説明する。このプログラムは、音声ミュート動作（音声の出力を一時的に停止する動作）の実行／不実行を切り換えたり、時報音の発生／不発生を切り換えたりするためのプログラムである。
【００９６】
Ｓ５０２にて、制御回路４１０は、第４のポートＰ４の設定が「Ｌ」レベルであるか否かを判断する。第４のポートＰ４の設定が「Ｌ」レベルであると判断した場合には（Ｓ５０２にてＹＥＳ）、処理は終了する。もしそうでないと（Ｓ５０２にてＮＯ）、処理はＳ５０４に移される。
【００９７】
Ｓ５０４にて、制御回路４１０は、第３のポートＰ３の設定が「Ｌ」レベルであるか否かを判断する。第３のポートＰ３の設定が「Ｌ」レベルであると判断した場合には（Ｓ５０４にてＹＥＳ）、処理はＳ５０６に移される。もしそうでないと（Ｓ５０４にてＮＯ）、処理はＳ５０８に移される。
【００９８】
Ｓ５０６にて、制御回路４１０は、音声ミュート動作を実行する。すなわち、音声ミュートスイッチ４１４が開かれ、音声入力端子１１３からのアナログ音声信号は、時報音発生回路４１５に入力されなくなる。その結果、音声信号は、スピーカ（図示しない）から出力されなくなる。
【００９９】
Ｓ５０８にて、制御回路４１０は、時計データが５９分（６０−ｔ）秒であるか否かを判断する。この判断は、時刻補正回路１１４から入力される時計データに基づいて行なわれる。時計データが５９分（６０−ｔ）秒であると判断した場合には（Ｓ５０８にてＹＥＳ）、処理はＳ５１０に移される。もしそうでないと（Ｓ５０８にてＮＯ）、処理はＳ５０２に戻される。
【０１００】
Ｓ５１０にて、制御回路４１０は、時報音発生回路４１５に制御信号を出力して、時報音を発生させる。これにより、時報音は、予め定められた時間スピーカから出力される。
【０１０１】
Ｓ５１２にて、制御回路４１０は、時計データが００分００秒であるか否かを判断する。時計データが００分００秒であると判断した場合には（Ｓ５１２にてＹＥＳ）、処理はＳ５１４に移される。もしそうでないと（Ｓ５１２にてＮＯ）、処理はＳ５１０に戻され、時報音の発生が継続する。
【０１０２】
Ｓ５１４にて、制御回路４１０は、時報音発生回路４１５に対する制御信号の出力を終了することにより、時報音の発生を停止する。
【０１０３】
Ｓ５１６にて、制御回路４１０は、音声ミュート動作を解除する。すなわち、音声ミュートスイッチ４１４が閉じられ、音声入力端子１１３からのアナログ音声信号が、時報音発生回路４１５を経て音声Ａ／Ｄ変換回路１１１に入力される。その結果、音声信号は、予め定められたデータ圧縮処理の後、アンテナ１０３から送信される。
【０１０４】
図６を参照して、映像送信装置４００の制御回路４１０にて実行される時報音発生秒数設定プログラムの制御構造について説明する。このプログラムは、標準時刻までに出力される時報音を発生させる時間（以下、時報音発生秒数という。）を設定するためのプログラムである。このプログラムは、たとえば、映像送信装置４００の設定が変更され、リセットボタン（図示しない）が押下された場合に実行される。
【０１０５】
Ｓ６０２にて、制御回路４１０は、第１のポートＰ１の設定が「Ｌ」レベルであるか否かを判断する。第１のポートＰ１の設定が「Ｌ」レベルであると判断した場合には（Ｓ６０２にてＹＥＳ）、処理はＳ６０４に移される。もしそうでないと（Ｓ６０２にてＮＯ）、処理はＳ６０６に移される。
【０１０６】
Ｓ６０４にて、制御回路４１０は、時報音発生秒数ｔの値を１秒加算する。
Ｓ６０６にて、制御回路４１０は、第２のポートＰ２の設定が「Ｌ」レベルであるか否かを判断する。第２のポートＰ２の設定が「Ｌ」レベルであると判断した場合には（Ｓ６０６にてＹＥＳ）、処理はＳ６０８に移される。もしそうでないと（Ｓ６０６にてＮＯ）、処理はＳ６０２に戻される。
【０１０７】
Ｓ６０８にて、制御回路４１０は、時報音発生秒数ｔの値を１秒減算する。その後、処理は終了する。
【０１０８】
以上の構造およびフローチャートに基づく、本実施の形態に係る映像送信装置４００の動作について説明する。
【０１０９】
第４のポートＰ４の設定が「Ｌ」レベルではなく（Ｓ５０２にてＮＯ）、第３のポートＰ３の設定が「Ｌ」レベルである場合には（Ｓ５０４にてＹＥＳ）、映像送信装置４００は音声ミュート動作を実行する（Ｓ５０６）。この動作は、時計データが５９分（６０−ｔ）秒になるまで継続する。
【０１１０】
時計データが５９分（６０−ｔ）秒になると（Ｓ５０８にてＹＥＳ）、映像送信装置４００は、時報音の発生を開始する（Ｓ５１０）。時報音の発生は、時計データが００分００秒（いわゆる標準時刻）になるまで、ｔ秒間継続する。
【０１１１】
時計データが００分００秒になると（Ｓ５１２にてＹＥＳ）、映像送信装置４００は時報音の発生を停止する（Ｓ５１４）。その後、音声ミュート動作が解除されると（Ｓ５１６）、音声信号の出力が再開される。この音声信号は、映像信号と共に予め定められたデータ圧縮処理が実行された後、送信される。
【０１１２】
以上のようにして、本実施の形態に係る映像送信装置４００によると、時報音の発生／不発生の設定、音声ミュート動作の実行／不実行の設定、および標準時刻のｔ秒前から標準時刻までの時報音の出力の設定を行なうことができる。
【０１１３】
＜第３の実施の形態＞
図７を参照して、本発明の第３の実施の形態に係る映像送信装置７００について説明する。図７は、映像送信装置７００の制御ブロック図である。
【０１１４】
この映像送信装置７００は、外部制御入力端子７１７を含む点で、前述の第１の実施の形態に係る映像送信装置１００（図１）と異なる。その他のハードウェア構成、処理フローおよび機能については、第１の実施の形態と同じである。したがって、それらについての詳細な説明は、ここでは繰り返さない。
【０１１５】
外部制御入力端子７１７は、制御回路１１０の入力側に接続される。したがって、映像送信装置７００の使用者が予め定められた制御信号（たとえば、リモコン信号）を外部制御入力端子７１７に入力することにより、第１の実施の形態に係るオンスクリーン表示の有無およびオンスクリーン表示秒数の設定を行なうことができる。
【０１１６】
以上のようにして、本実施の形態に係る映像送信装置７００によると、制御信号の送信により設定を変更することができるため、使用者は、制御回路１１０の各ポートに接続されたスイッチＳＷ１，ＳＷ２，ＳＷ３を直接操作する必要がなくなる。その結果、使用者は、オンスクリーン表示の有無およびオンスクリーン表示秒数の設定を容易に行なうことができる。
【０１１７】
＜第４の実施の形態＞
図８を参照して、本発明の第４の実施の形態に係る映像送信装置８００について説明する。図８は、映像送信装置８００の制御ブロック図である。
【０１１８】
この映像送信装置８００は、外部制御入力端子７１７を含む点で、前述の第２の実施の形態に係る映像送信装置４００（図４）と異なる。その他のハードウェア構成、処理フローおよび機能については、第２の実施の形態と同じである。したがって、ここでは、それらについての詳細な説明は繰り返さない。
【０１１９】
外部制御入力端子７１７は、制御回路４１０の入力側に接続される。したがって、使用者が、外部制御入力端子７１７を介して予め定められた制御信号を入力することにより、時報音の発生の有無、音声ミュート動作の有無、および時報音発生秒数の設定を行なうことができる。
【０１２０】
これにより、本実施の形態に係る映像送信装置８００によると、使用者が制御回路４１０の各ポートに接続されたスイッチＳＷ４，ＳＷ５，ＳＷ６，ＳＷ７を直接操作することなく、時報音の発生の有無、音声ミュートの有無、および時報音発生秒数の設定を容易に行なうことができる。
【０１２１】
＜第５の実施の形態＞
図９を参照して、本発明の第５の実施の形態に係る映像送信装置９００について説明する。図９は、映像送信装置９００の制御ブロック図である。
【０１２２】
この映像送信装置９００は、後述する構成を除いて、図７および図８に示した映像送信装置７００および映像送信装置８００が含むハードウェア構成を集約したものである。各処理フローおよび機能も同じである。したがって、それらについての詳細な説明は、ここでは繰り返さない。
【０１２３】
リモコン受光部９１７は、図７または図８に示した外部制御入力端子７１７を置き換えたものである。リモコン受光部９１７の出力側は、制御回路１１０，４１０の入力側にそれぞれ接続される。なお、リモコン受光部９１７に制御信号（たとえば赤外線信号）を送信するためのリモコン装置（図示しない）の態様は、特に限られない。
【０１２４】
この映像送信装置８００において、使用者がリモコン受光部９１７に向けてリモコン装置を操作すると（たとえば、予め定められたボタンを押下すると）、予め定められた制御信号がリモコン受光部９１７に送信される。この信号は、リモコン受光部９１７から制御回路１１０および制御回路４１０に入力される。
【０１２５】
その制御信号がオンスクリーン表示の有無の設定およびオンスクリーン表示秒数の設定のための信号を含む場合には、制御回路１１０が、各設定のための処理を実行する。
【０１２６】
その制御信号が時報音の発生の有無、音声ミュートの有無、および時報音発生秒数の設定のための信号を含む場合には、制御回路４１０が、各設定のための処理を実行する。
【０１２７】
以上のようにして、本実施の形態に係る映像送信装置８００によると、使用者がリモコン装置を使用することにより、オンスクリーン表示の有無の設定、オンスクリーン表示秒数の設定、時報音の発生の有無、音声ミュートの有無、および時報音発生秒数の設定を容易に行なうことができる。
【０１２８】
＜第６の実施の形態＞
図１０を参照して、本発明の第６の実施の形態に係る映像送信装置１０００について説明する。図１０は、映像送信装置１０００の制御ブロック図である。
【０１２９】
この映像送信装置１０００は、ブルーバック制御回路１０１０およびブルーバック発生回路１０２５を含む点で、前述の第１の実施の形態に係る映像送信装置１００（図１）と異なる。その他のハードウェア構成および処理フローは同じである。それらについての機能も同じである。したがって、それらについての詳細な説明は、ここでは繰り返さない。
【０１３０】
映像入力端子１１２は、ブルーバック発生回路１０２５の入力側に接続される。ブルーバック発生回路１０２５の出力側は、オンスクリーン発生回路１０８の入力側に接続される。ブルーバック制御回路１０１０の第１のポートＰ１は、スイッチＳＷ８に接続される。
【０１３１】
このような映像送信装置１０００において、ブルーバック制御回路１０１０は、予め定められた条件が成立した場合には、制御信号をブルーバック発生回路１０２５に出力する。この条件とは、たとえば映像入力端子１１２から信号が入力されないことである。この制御信号がブルーバックを発生させる指示を含む（たとえば、ブルーバックのフラグがＯＮである）場合には、ブルーバック発生回路１０２５は、映像入力端子１１２から入力された信号を出力する代わりに、ブルーバックを表示するための映像信号をオンスクリーン発生回路１０８に出力する。
【０１３２】
たとえば、ブルーバック制御回路１０１０のポートＰ１の設定が「Ｌ」レベルである場合には、ブルーバック制御回路１０１０は、ブルーバックをスクリーン（図示しない）に表示させるための信号を出力することにより、ブルーバック発生回路１０２５を作動させる。その結果、ブルーバックを表示するための信号がオンスクリーン発生回路１０８に入力される。
【０１３３】
ブルーバック制御回路１０１０のポートＰ１の設定が「Ｈ」レベルである場合には、ブルーバック制御回路１０１０は、ブルーバックをスクリーンに表示させるための信号の出力を停止する。したがって、映像入力端子１１２から入力された映像信号は、ブルーバック発生回路１０２５を介してそのままオンスクリーン発生回路１０８に入力される。
【０１３４】
以上のようにして、本実施の形態に係る映像送信装置１０００によると、予め定められた条件が成立した場合には、スクリーンに表示される画面の背景をブルーにすることができる。このようにすると、スクリーンに映像が表示されないような場合でも、時刻データを明瞭に表示することができる。
【０１３５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】本発明の第１の実施の形態に係る映像送信装置を含むシステムの構成を表わす図である。
【図２】本発明の第１の実施の形態に係る映像送信装置の制御回路にて実行されるプログラムの制御構造を表わすフローチャート（その１）である。
【図３】本発明の第１の実施の形態に係る映像送信装置の制御回路にて実行されるプログラムの制御構造を表わすフローチャート（その２）である。
【図４】本発明の第２の実施の形態に係る映像送信装置の制御ブロック図である。
【図５】本発明の第２の実施の形態に係る映像送信装置の制御回路にて実行されるプログラムの制御構造を表わすフローチャート（その１）である。
【図６】本発明の第２の実施の形態に係る映像送信装置の制御回路にて実行されるプログラムの制御構造を表わすフローチャート（その２）である。
【図７】本発明の第３の実施の形態に係る映像送信装置の制御ブロック図である。
【図８】本発明の第４の実施の形態に係る映像送信装置の制御ブロック図である。
【図９】本発明の第５の実施の形態に係る映像送信装置の制御ブロック図である。
【図１０】本発明の第６の実施の形態に係る映像送信装置の制御ブロック図である。
【図１１】従来の映像送信装置および映像受信装置を含むシステムの構成を表わす図である。
【符号の説明】
１００，４００，７００，８００，９００，１０００，１１４０  映像送信装置、１０３，３８０，１１４１，１１３８  アンテナ、１０４，１１３７，１１４２  アンテナ端子、１０５，１１４３  無線送信回路、１０６，１１４４  データ圧縮回路、１０７，１１４５  映像Ａ／Ｄ変換回路、１０８  オンスクリーン発生回路、１１０，４１０  制御回路、１１１，１１４９  音声Ａ／Ｄ変換回路、１１２，１１５０  映像入力端子、１１３，１１５１  音声入力端子、１１４  時刻補正回路、１１５  標準時計、３００，１１３０  映像受信装置、４１４  音声ミュート動作スイッチ、４１５  時報音発生回路、７１７  外部制御入力端子、９１７  リモコン受光部、１０１０  ブルーバック制御回路、１０２５ブルーバック発生回路、１１３１  映像出力端子、１１３２  音声出力端子、１１３３  映像Ｄ／Ａ変換回路、１１３４  データ伸張回路、１１３５  無線受信回路、１１３６  音声Ｄ／Ａ変換回路。
【図１】
2004328349.tif 000003
【図２】
2004328349.tif 000004
【図３】
2004328349.tif 000005
【図４】
2004328349.tif 000006
【図５】
2004328349.tif 000007
【図６】
2004328349.tif 000008
【図７】
2004328349.tif 000009
【図８】
2004328349.tif 000010
【図９】
2004328349.tif 000011
【図１０】
2004328349.tif 000012
【図１１】
2004328349.tif 000013